(57)【要約】【課題】炭化物の品質を良いものとしつつ燃料消費量を抑えるスクリュー式炭化炉を提供すること。【解決手段】炉体の縦方向に複数のスクリューコンベア１２を並べた多段搬送部と、その多段搬送部より下の位置に横方向に複数のスクリューコンベア１３を並べた下搬送部とを構成し、スクリューコンベア１２，１３のトラフ２３，２５には上方に開口が形成されたものであり、炉体２には、多段搬送部を構成するスクリューコンベア１２のトラフ２３から放出される乾留ガスに燃焼空気を吹きかけるエア供給手段３５が設けられ、そのエア供給手段３５から燃焼空気を吹きかけられた乾留ガスが、多段搬送部や下搬送部が周りに存在する炉体２内の燃焼空間１０に火炎を発生させ、その火炎によってスクリューコンベア１２，１３内の原料を加熱するようにしたスクリュー式炭化炉１。【選択図】  図１
2011001432.tif 000002
【特許請求の範囲】
【請求項１】
トラフ内の原料をスクリューによって搬送する複数の連続するスクリューコンベアが炉体を通して配置され、炉体内で発生する前記原料からの乾留ガスの火炎によって、スクリューコンベア内を移動する原料を更に加熱するスクリュー式炭化炉において、
前記スクリューコンベアは、炉体の縦方向に複数のスクリューコンベアを並べた多段搬送部と、その多段搬送部より下の位置に横方向に複数のスクリューコンベアを並べた下搬送部とを構成し、当該スクリューコンベアのトラフには上方に開口が形成されたものであり、
前記炉体には、前記多段搬送部を構成するスクリューコンベアのトラフから放出される乾留ガスに燃焼空気を吹きかけるエア供給手段が設けられ、
そのエア供給手段から燃焼空気を吹きかけられた乾留ガスが、前記多段搬送部や下搬送部が周りに存在する前記炉体内の燃焼空間に火炎を発生させ、その火炎によって前記スクリューコンベア内の原料を加熱するものであることを特徴とするスクリュー式炭化炉。
【請求項２】
請求項１に記載するスクリュー式炭化炉において、
前記スクリューコンベアは、前記多段搬送部より上の位置に横方向に複数のスクリューコンベアを並べた上搬送部を構成するものであることを特徴とするスクリュー式炭化炉。
【請求項３】
請求項１又は請求項２に記載するスクリュー式炭化炉において、
前記多段搬送部は、複数のスクリューコンベアが前記炉体内の燃焼空間を挟むように左右両側に配置され、前記上搬送部から下搬送部へかけて左右の距離が狭くなるように階段状に各スクリューコンベアが配置されたものであることを特徴とするスクリュー式炭化炉。
【請求項４】
請求項１乃至請求項３のいずれかに記載するスクリュー式炭化炉において、
前記下搬送部は、幅広形状の一つのトラフに複数のスクリューが平行に配置され、当該スクリューの間にスクリュー毎の搬送路を構成するガイドが設けられた一体型のスクリューコンベアによって構成されたものであることを特徴とするスクリュー式炭化炉。
【請求項５】
請求項１乃至請求項４のいずれかに記載するスクリュー式炭化炉において、
前記下搬送部を構成するスクリューコンベアは、前記炉体の底面に設置されたものであることを特徴とするスクリュー式炭化炉。
【請求項６】
請求項３乃至請求項５のいずれかに記載するスクリュー式炭化炉において、
前記上搬送部と多段搬送部との間および前記多段搬送部と下搬送部との間は、それぞれ横引きスクリューコンベアによって連結され、当該横引きスクリューコンベアは、原料を通すボックス内に中央で逆向きになった羽根のスクリューが挿入されたものであることを特徴とするスクリュー式炭化炉。
【請求項７】
請求項６に記載するスクリュー式炭化炉において、
前記多段搬送部と下搬送部を連結する横引きスクリューコンベアは、ボックスに満量計を設置し、原料がボックスを満量にした状態で搬送するようにしたものであることを特徴とするスクリュー式炭化炉。
【発明の詳細な説明】
【技術分野】
【０００１】
本発明は、炭化物にする畜糞などの原料を、炭化炉内に設置した複数のスクリューコンベア内を移動させながら加熱して炭化させるスクリュー式炭化炉に関し、特に、低燃費でかつ品質の良い炭化物を生成するためのスクリュー式炭化炉に関する。
【背景技術】
【０００２】
畜舎から排出される畜糞尿などの有機性廃棄物については、その有効利用を図るため炭化物にすることが考えられ、近年、様々な炭化物製造装置が提案されている。例えば、図３は、下記特許文献１に記載されたスクリュー式炭化炉を示した図である。このスクリュー式炭化炉１００は、炉体１０２を横切るように、ほぼ水平に配置されたスクリューコンベア１１１，１１２，１１３が縦に複数設けられた多段構造をしている。
【０００３】
ホッパ１０４から供給された有機性廃棄物（原料）は、最上段のスクリューコンベア１１１からスクリュー１２２の回転によって順に下段のスクリューコンベア１１２，１１３へと送られる。その間に、炉下部のバーナー１０８による炎の加熱とともに、開口部１３５から吹き出す乾留ガスの炎によって直接上段のスクリューコンベア１１１，１１２が加熱され、スクリューコンベア内部の原料が炭化する。
【先行技術文献】
【特許文献】
【０００４】
【特許文献１】特開２００１−１７２６３９号公報
【特許文献２】特開２００１−２８９４１６号公報
【発明の概要】
【発明が解決しようとする課題】
【０００５】
しかし、こうしたスクリュー式炭化炉１００では、乾留ガスの火炎によって上段のスクリューコンベア１１１，１１２を加熱するようになった後も、最下段のスクリューコンベア１１３に対しては炉下部のバーナー１０８の運転を続けて加熱する必要がある。最下段で高温加熱することは、原料の炭化を十分なものとし、品質の良い炭化物を生成することができる点で必要な処理となる。しかし、そのためには、従来のスクリュー式炭化炉１００の場合、炉下部のバーナー１０８を運転し続けることになり、燃料消費量が増大してしまう問題があった。一方、燃料消費量を抑えるため乾留ガスを炉下部に導入することも提案されているが、タールの付着を考慮すると現実的ではない。
【０００６】
そこで、本発明は、かかる課題を解決すべく、炭化物の品質を良いものとしつつ燃料消費量を抑えるスクリュー式炭化炉を提供することを目的とする。
【課題を解決するための手段】
【０００７】
本発明に係るスクリュー式炭化炉は、トラフ内の原料をスクリューによって搬送する複数の連続するスクリューコンベアが炉体を通して配置され、炉体内で発生する前記原料からの乾留ガスの火炎によって、スクリューコンベア内を移動する原料を更に加熱するものであって、前記スクリューコンベアは、炉体の縦方向に複数のスクリューコンベアを並べた多段搬送部と、その多段搬送部より下の位置に横方向に複数のスクリューコンベアを並べた下搬送部とを構成し、当該スクリューコンベアのトラフには上方に開口が形成されたものであり、前記炉体には、前記多段搬送部を構成するスクリューコンベアのトラフから放出される乾留ガスに燃焼空気を吹きかけるエア供給手段が設けられ、そのエア供給手段から燃焼空気を吹きかけられた乾留ガスが、前記多段搬送部や下搬送部が周りに存在する前記炉体内の燃焼空間に火炎を発生させ、その火炎によって前記スクリューコンベア内の原料を加熱するものであことを特徴とする。
【０００８】
また、本発明に係るスクリュー式炭化炉は、前記スクリューコンベアが、前記多段搬送部より上の位置に横方向に複数のスクリューコンベアを並べた上搬送部を構成するものであることが好ましい。
また、本発明に係るスクリュー式炭化炉は、前記多段搬送部が、複数のスクリューコンベアが前記炉体内の燃焼空間を挟むように左右両側に配置され、前記上搬送部から下搬送部へかけて左右の距離が狭くなるように階段状に各スクリューコンベアが配置されたものであることが好ましい。
また、本発明に係るスクリュー式炭化炉は、前記下搬送部が、幅広形状の一つのトラフに複数のスクリューが平行に配置され、当該スクリューの間にスクリュー毎の搬送路を構成するガイドが設けられた一体型のスクリューコンベアによって構成されたものであることが好ましい。
【０００９】
また、本発明に係るスクリュー式炭化炉は、前記下搬送部を構成するスクリューコンベアが、前記炉体の底面に設置されたものであることが好ましい。
また、本発明に係るスクリュー式炭化炉は、前記上搬送部と多段搬送部との間および前記多段搬送部と下搬送部との間は、それぞれ横引きスクリューコンベアによって連結され、当該横引きスクリューコンベアは、原料を通すボックス内に中央で逆向きになった羽根のスクリューが挿入されたものであることが好ましい。
また、本発明に係るスクリュー式炭化炉は、前記多段搬送部と下搬送部を連結する横引きスクリューコンベアは、ボックスに満量計を設置し、原料がボックスを満量にした状態で搬送するようにしたものであることが好ましい。
【発明の効果】
【００１０】
本発明のスクリュー式炭化炉によれば、原料からの乾留ガスによって燃焼空間に火炎を発生させ、その輻射熱を利用して原料を加熱するので、従来のようにトラフを加熱して内部の原料を加熱するよりも炉体内の火炎によって効果的な原料の加熱が行える。そして、多段搬送部のスクリューコンベアによって原料の炭化を行うとともに、更に下搬送部のスクリューコンベアでも原料を加熱して最終炭化処理を行うことができるため、原料の炭化を十分なものとし、品質の良い炭化物を生成することができる。しかも、下搬送部のスクリューコンベアを通る原料に対しても燃焼空間の火炎によって加熱するため、燃料消費量を抑えることができる。
【図面の簡単な説明】
【００１１】
【図１】スクリュー式炭化炉の実施形態を示した図である。
【図２】鶏糞を原料としてスクリュー式炭化炉で炭化処理を行った場合の分析結果を示した図である。
【図３】従来のスクリュー式炭化炉を示した図である。
【発明を実施するための形態】
【００１２】
次に、本発明に係るスクリュー式炭化炉の一実施形態について図面を参照しながら以下に説明する。図１は、スクリュー式炭化炉を示した図であり、右半分に側面図を、左半分に断面図を示している。
このスクリュー式炭化炉１は、前述した従来例と同様に、畜糞尿などの有機性廃棄物を原料とし、複数設けられたスクリューコンベア１１，１２，１３に原料を通しながら加熱及び熱分解することによって炭化物を生成するものである。
【００１３】
スクリュー式炭化炉１では、中央部分に燃焼空間１０を設けるように、３パターンで配置した各箇所複数のスクリューコンベア１１，１２，１３が炉体２内に配置されている。炉体２は、図示するように横幅寸法を下方に向けて小さくするように傾斜した形状の密閉された筺体であって、炉体を構成する鋼材の内部にキャスタブル材による耐火・耐熱層が設けられている。その炉体２内に、横向きに配置された上段スクリューコンベア１１、両サイドにおいて縦方向に多段に配置された中段スクリューコンベア１２、そして底面に横向きに配置された下段スクリューコンベア１３が組み付けられている。上段スクリューコンベア１１は上搬送部を、中段スクリューコンベア１２は多段搬送部を、そして下段スクリューコンベア１３は下搬送部をそれぞれ構成している。
【００１４】
こうしてスクリューコンベア１１，１２，１３に囲まれた炉体２の中央部分には燃焼空間１０が形成され、本実施形態ではこの燃焼空間１０に火炎を発生させて原料を加熱するようにしている。スクリュー式炭化炉１には、不図示の乾燥機を通し、ある程度水分が除去された状態の原料がホッパを介して供給される。しかし、依然として水分を含んでいるため、上搬送部を構成する上段スクリューコンベア１１は、そうした原料を乾燥するための乾燥工程として、燃焼空間１０の直上に配置されている。この場合、燃焼空間１０で発生する火炎の熱を直接受けるが、原料の水分の蒸発によってある程度冷やされるため、スクリューコンベア１１が過剰に加熱されることはない。
【００１５】
スクリュー式炭化炉１では、４本の上段スクリューコンベア１１が高さを揃えて平行に配置され、それぞれに対して不図示のホッパから原料が送り込まれるようになっている。スクリューコンベア１１は、樋形状のトラフ２１が炉体２の向かい合う壁面を貫通して架設され、軸支されたスクリュー２２がトラフ２１内にて回転可能に挿入されている。炉体２の外部には駆動手段である不図示のモータが設置され、各スクリューコンベア１１のスクリュー２２に回転を伝達するように構成されている。
【００１６】
次に、多段搬送部の中段スクリューコンベア１２は、上段スクリューコンベア１１を通過した原料を受け、その原料を加熱及び熱分解して炭化物を生成する炭化処理工程を構成するものである。複数の中段スクリューコンベア１２が、燃焼空間１０を挟むようにして左右それぞれに縦方向に並べられ、多段に配置されている。中段スクリューコンベア１２の構成は、上段スクリューコンベア１１と同様に、樋形状のトラフ２３が炉体２の向かい合う壁面を貫通して架設され、軸支されたスクリュー２４がトラフ２３内に挿入され、不図示のモータの出力を受けて回転するように構成されている。
【００１７】
上段スクリューコンベア１１と中段スクリューコンベア１２とは、横引きスクリューコンベア１５を介して連結されている。横引きスクリューコンベア１５は、炉体２の外側に配置され、上段スクリューコンベア１１と中段スクリューコンベア１２の端部にボックス３１が連結されている。そして、ボックス３１内には、螺旋状の羽根が中央で方向を逆転させたスクリュー３２が回転可能に挿入されている。すなわち、この横引きスクリューコンベア１５は、上段スクリューコンベア１１を通った原料がボックス３１内に落ち、それを逆向きの羽根を持ったスクリュー３２によって左右の中段スクリューコンベア１２へ分けて送るように構成されている。
【００１８】
中段スクリューコンベア１２は、上下方向に４段設けられ、上下の中段スクリューコンベア１２同士はシュート１７によって連結されている。左右の中段スクリューコンベア１２は、それぞれの高さが左右でほぼ揃えられており、同じ高さの中段スクリューコンベア１２同士の距離は下方に向けて小さくなるように階段状に配置されている。
【００１９】
更に、炉体２の底面には下搬送部を構成する下段スクリューコンベア１３が配置されている。下段スクリューコンベア１３は、一つのトラフ２５に対して複数のスクリュー２６を設けた一体型のスクリューコンベアである。トラフ２５は、上段や中段のスクリューコンベア１１，１２と同様にＵ字形の樋形状であるが、６つのスクリュー２６が入るように横幅の広い幅広形状である。隣り合うスクリュー２６は、その間に配置された山形のガイド２７で仕切られ、トラフ２５内にはスクリュー２６毎に複数の搬送路が構成されている。そして、下段スクリューコンベア１３の端部には冷却装置へのシュートが連結され、加熱によって高温になっている炭化物の冷却が行われるようになっている。
【００２０】
こうした下段スクリューコンベア１３と最下段の中段スクリューコンベア１２とは、横引きスクリューコンベア１６を介して連結されている。横引きスクリューコンベア１６は、炉体２の外側に配置され、中段スクリューコンベア１２と下段スクリューコンベア１３にボックス３３が連結されている。そして、そのボックス３３内には、螺旋状の羽根が中央で方向を逆転させたスクリュー３４が回転可能に挿入されている。すなわち、この横引きスクリューコンベア１６は、中段スクリューコンベア１２を通った原料がボックス３３内に落ち、それを逆向きの羽根を持ったスクリュー３４によって中央側に送る過程で、各スクリュー２６の搬送路へと振り分けていくように構成されている。なお、ボックス３３には不図示の満量計が設置され、原料がボックス３３を満量にした状態で送られるようになっている。
【００２１】
本実施形態のスクリュー式炭化炉１は、炉体２内に高温のガスを発生させ、その輻射熱を利用して各スクリューコンベア１１，１２，１３内の原料を加熱する構成がとられている。すなわち、中段、下段スクリューコンベア１２，１３を移動する原料からは、それが加熱され炭化する際に可燃性の乾留ガスが放出されるため、この乾留ガスを燃焼させた火炎の輻射熱を利用することとしている。スクリュー式炭化炉１では、炉体２内のスクリューコンベア１１，１２，１３で囲まれた燃焼空間１０に乾留ガスの火炎を発生させるようにしている。
【００２２】
そこで、炉体２には、第２段目から第４段目の中段スクリューコンベア１２に対し、炉体２を貫通してエア供給管３５が設置されている。エア供給管３５の吹出口は、トラフ２３の上方に向けて燃焼空気を吹き込むように配置され、トラフ２３から放出された乾留ガスを燃焼空間１０へと流すようにしている。こうしたトラフ２３や下段スクリューコンベア１３のトラフ２５は、上方に大きく開いた開口部が形成され、乾留ガスを上方に放出し易くなっている。また、その開口部は、中段と下段のスクリューコンベア１２，１３内の原料を、燃焼空間１０で発生する火炎の輻射熱によって効果的に加熱できるようにもなっている。
【００２３】
続いて、スクリュー式炭化炉１による炭化物の生成について説明する。このスクリュー式炭化炉１を有する炭化処理システムでは、先ず不図示の乾燥機に畜糞尿などの原料を投入し、ある程度の水分を除去して乾燥させた後、その原料がスクリュー式炭化炉１へと送り込まれる。スクリュー式炭化炉１では、ホッパから上段スクリューコンベア１１へと投入され、そこではトラフ２１内の原料が回転するスクリュー２２によって攪拌されながら一方向へと搬送される。スクリュー式炭化炉１の起動当初は、不図示のバーナーによって炉体２内を加熱する必要があるが、運転が安定することにより乾留ガスの火炎が燃焼空間１０に発生し、それによって上段スクリューコンベア１１が下方から加熱されることになる。
【００２４】
上段スクリューコンベア１１を通る原料は、前述したように乾燥機を通ってはいるが多少の水分を含んでいる。そのため、上段スクリューコンベア１１は、燃焼空間１０の火炎によってトラフ２１が直に加熱されることになるが、原料の水分が蒸発する際に潜熱を奪うことによる冷却効果により、トラフ２１が過剰に温度上昇してしまうことはない。そして、乾燥工程の上段スクリューコンベア１１では、図面手前側に原料が送られ、その間に下の燃焼空間１０の火炎によって加熱され水分が除去される。
【００２５】
その後、原料は、上段スクリューコンベア１１から横引きスクリューコンベア１５へと落とされる。横４列に設けられた上段スクリューコンベア１１から横引きスクリューコンベア１５に対し、ボックス３１全体に原料が投入されるが、その原料は中央を境にして羽根の向きが逆になったスクリュー３２によって左右両側に分けて送られ、左右それぞれの中段スクリューコンベア１２へと投入される。
【００２６】
中段スクリューコンベア１２では、同じようにトラフ２３内の原料が回転するスクリュー２４によって攪拌されながら一方向へ送られ、シュート１７を介して一段下の中段スクリューコンベア１２へと移動する。中段スクリューコンベア１２では、こうしたスクリュー２４によるトラフ２３内の原料の搬送が、上下４段にわたって順に繰り返される。その間、加熱された原料からは可燃性の乾留ガスが発生し、トラフ２３から上方へ放出される。一方で、このスクリュー式炭化炉１から排出された高温の排ガスによって外気が加熱され、そうした燃焼空気がエア供給管３５から炉体２内へと吹き込まれる。
【００２７】
従って、トラフ２３からは乾留ガスが上方に放出され、そこに横から燃焼空気が吹きかけられると、その風圧によって乾留ガスが炉体２の中央へと流れるとともに、酸素を受け取った乾留ガスが燃焼空間１０で燃えて火炎を発生させる。このスクリュー式炭化炉１では、炉体２中央の火炎から熱線が放射され、その輻射熱によって燃焼空間１０を囲むように配置された中段スクリューコンベア１２内の原料が加熱される。その際、トラフ２３の上方開口部を通った熱線によって直接原料が加熱される他、トラフ２３の加熱を通して原料が加熱されたり、炉体２の壁面を加熱したその壁面からも輻射熱を受け取って加熱される。
【００２８】
中段スクリューコンベア１２を移動する間に加熱される原料は、徐々に炭化が進行するとともに乾留ガスを発生させ、その乾留ガスがトラフ２３から放出され燃焼空間１０に火炎を生じさせる。従って、スクリュー式炭化炉１の運転中は、燃焼空間１０に連続して火炎を発生させる一方で、その輻射熱によって新たに乾留ガスを発生させるといった繰り返しが行われる。そして、この中段スクリューコンベア１２による炭化工程において加熱された原料が徐々に炭化していく。
【００２９】
最下段の中段スクリューコンベア１２まで降りた原料は、横引きスクリューコンベア１６へと送られる。横引きスクリューコンベア１６では、その原料が中央を境にして羽根の向きが逆になったスクリュー３４によって中央側に送られ、下段スクリューコンベア１３の横に並んだスクリュー２６による６列の搬送路へと振り分けられる。横引きスクリューコンベア１６では、ボックス３３内を原料が満量の状態になっているため、下段スクリューコンベア１３の６列の搬送路へは均等に原料が送られる。
【００３０】
下段スクリューコンベア１３は、トラフ２５の上方に大きく開口部が設けられており、燃焼空間１０の火炎から輻射熱を直接受けた原料が更に加熱される。従って、中段スクリューコンベア１２を通過した原料は、更に最終工程の下段スクリューコンベア１３でも加熱されることでより炭化が進むことになる。そして、ここでも加熱された原料から乾留ガスが発生し、それが燃焼して火炎となる。このとき、加熱源となる火炎は下段スクリューコンベア１３の上方で発生するため、トラフ２５が輻射熱を受けて過剰に加熱されることはない。そして、この下段スクリューコンベア１３を通った原料は、炭化物となって次の冷却装置へと送られる。
【００３１】
ここで、図２は、水分が２０％程度の鶏糞を原料としてスクリュー式炭化炉１で炭化処理を行った場合の分析結果を示した図であり、原料の重量変化と温度変化をグラフにしたものである。特に、０〜ｔ１時が上段スクリューコンベア１１を、ｔ１〜ｔ２時が中段スクリューコンベア１２を、そしてｔ２〜ｔ３時が下段スクリューコンベア１３を、原料が通過するおよその時間帯である。
【００３２】
このグラフから分かるように、上段スクリューコンベア１１を通っている初期段階では、水分を含んでいる原料の温度は沸点までは上昇するものの、その後は炉体２内の雰囲気温度が高くてもあまり急激に温度は上がっていない。そして、中段スクリューコンベア１２へ送られ、炭化が徐々に進むに従って原料の温度が急激に上昇し、炭化の最終工程が行われる下段スクリューコンベア１３では徐々に温度上昇が緩やかになっている。一方、原料の重量変化は、下段スクリューコンベア１１では加熱によって水分が抜けて減少し、その後は乾留ガスが放出され中段スクリューコンベア１２を移動する間に減少している。そして、下段スクリューコンベア１３では、炭化が進むにつれて乾留ガスの放出が少なくなり、それに応じて原料の重量減少度も小さくなっている。見方を変えると、下段スクリューコンベア１３では、炭化物の温度を上げるには高温でかつ多量の熱が必要になることが分かる。
【００３３】
本実施形態のスクリュー式炭化炉１によれば、原料からの乾留ガスによって燃焼空間１０に火炎を発生させ、その輻射熱を利用して原料を加熱するようにしたので、従来のようにトラフを加熱して内部の原料を加熱するよりも炉体２内の火炎によって効果的な原料の加熱が行えるようになった。そして、中段スクリューコンベア１２は、下のものほど中央の燃焼空間１０に近づくように階段状に配置したため、輻射熱によるトラフ２３内部の原料を効率良く加熱できるようになっている。また、中段スクリューコンベア１２によって原料の炭化を行うとともに、更に下段スクリューコンベア１３の原料に対しても高温による最終炭化処理を行うため、原料の炭化を十分なものとし、品質の良い炭化物を生成することができる。
【００３４】
図２のｔ２〜ｔ３に示すように、下段スクリューコンベア１３を通る原料は、重量の減少率が小さくなり温度も上がりにくくなっている。そのため、熱を積極的に加えて３５０℃以上の高い温度で加熱することが、原料自体の温度を上げて品質の良い炭を生成することにつながる。この点、本実施形態のスクリュー式炭化炉１によれば、燃焼空間１０の乾留ガスによる火炎で積極的に加熱することで品質の良い炭を生成することができる。しかも、バーナーを使用するわけではないので燃料消費を抑えることが可能である。そして、特に下段スクリューコンベア１３では、原料からの乾留ガスの発生量が少なくなって十分な炭化に時間を要するが、そうした加熱のための燃料を必要としない。
【００３５】
また、下段スクリューコンベア１３は、原料の加熱に際してトラフ２５を直接火炎によって炙らないため、熱変形を考慮した従来のトラフに比べて材料を安くすることができる。加えて、下段スクリューコンベア１３は炉体２の底面に配置されているため、炉体２内部に舞った灰を受けることができる。そのため、従来は炉体の底に溜まってしまう灰を回収する余分な構造や煩わしい作業が必要であったが、そうした問題も解消できる。更に、本実施形態では、エア供給管３５から２００℃程度に加熱した燃焼空気を送り込むため、スクリュー式炭化炉１における炭化処理のエネルギ効率を良くしている。
【００３６】
以上、本発明に係るスクリュー式炭化炉の一実施形態について説明したが、本発明はこれに限定されることなく、その趣旨を逸脱しない範囲で様々な変更が可能である。
前記実施形態では、乾燥工程として上段スクリューコンベア１１を設けたが、それを省略してスクリュー式炭化炉１へ供給された原料を中段スクリューコンベア１２へ送る構造にしてもよい。その際、中段スクリューコンベア１２の数を増やしたり、距離を長くすることが考えられる。
また、前記実施形態では、中段スクリューコンベア１２を階段状に配置したが、直線的に配置して炉体２の幅を狭くした構成とするようにしてもよい。
また、前記実施形態では、下搬送部を構成する下段スクリューコンベア１３が、複数のスクリュー２６を一つのトラフ２５に構成した一体型のものであるが、上段スクリューコンベア１１のように分離したものであってもよい。
【符号の説明】
【００３７】
１    スクリュー式炭化炉
２    炉体
１０  燃焼空間
１１  上段スクリューコンベア
１２  中段スクリューコンベア
１３  下段スクリューコンベア
１５，１６  横引きスクリューコンベア
２１  トラフ
２２  スクリュー
３５  エア供給管
【図１】
2011001432.tif 000003
【図２】
2011001432.tif 000004
【図３】
2011001432.tif 000005